【手続補正書】
【提出日】平成27年3月2日(2015.3.2)
【手続補正１】
【補正対象書類名】特許請求の範囲
【補正対象項目名】全文
【補正方法】変更
【補正の内容】
【特許請求の範囲】
【請求項１】
主電力供給部に接続可能な入力部と、
エネルギー貯蔵デバイスと、
電力供給部からの電力を前記エネルギー貯蔵デバイスに貯蔵するためのエネルギーに変換する、前記電力供給部に選択的に接続可能な供給コンバータと、
前記エネルギー貯蔵デバイスからのエネルギーを電力負荷に供給するための電力に変換するように配置されている負荷コンバータと、
前記入力部及び前記負荷コンバータのいずれかに選択的に接続可能であって、それにより、前記電力負荷が電力を受け取ることができるように当該電力装置に接続されることになる出力部と、
通信ネットワークに接続される制御デバイスと
を備え、
前記制御デバイスは、
前記通信ネットワークから、前記主電力供給部に関連する時間依存電力料金データを受信し、
少なくとも前記受信した時間依存電力料金データを用いて、（ｉ）前記エネルギー貯蔵デバイスの充電、（ｉｉ）前記入力部から前記出力部に対する電力の供給、及び（ｉｉｉ）前記出力部に対する前記エネルギー貯蔵デバイスの放電の夫々のスケジュールを決定し、
前記スケジュールに応じて、前記供給コンバータを前記入力部に選択的に接続し、
電力を前記電力負荷に提供するように、前記スケジュールに応じて、前記出力部を前記入力部及び前記負荷コンバータのいずれかに選択的に接続する
ように構成されており、
（ｉｉｉ）のスケジュールの決定は、前記エネルギー貯蔵デバイスの放電コストの考慮を含む電力装置。
【請求項２】
少なくとも一つの電力装置と、通信ネットワークと、サーバコンピュータデバイスとを備え、
前記電力装置は、
主電力供給部に接続可能な入力部と、
エネルギー貯蔵デバイスと、
電力供給部からの電力を前記エネルギー貯蔵デバイスに貯蔵するためのエネルギーに変換する、前記電力供給部に選択的に接続可能な供給コンバータと、
前記エネルギー貯蔵デバイスからのエネルギーを電力負荷に供給するための電力に変換するように配置されている負荷コンバータと、
前記入力部及び前記負荷コンバータのいずれかに選択的に接続可能であって、それにより、前記電力負荷が電力を受け取ることができるように当該電力装置に接続されることになる出力部と、
通信ネットワークに接続される制御デバイスであって、前記サーバコンピュータデバイスからスケジュールを受信し、それによって、前記受信したスケジュールに応じて、前記供給コンバータを前記入力部に選択的に接続し且つ前記出力部を前記入力部及び前記負荷コンバータのいずれかに選択的に接続する制御デバイスと
を備え、
前記サーバコンピュータデバイスは、前記通信ネットワークに接続されており、
前記サーバコンピュータデバイスは、
前記通信ネットワークから、前記主電力供給部に関連する時間依存電力料金データを受信し、
（ｉ）前記エネルギー貯蔵デバイスの充電、（ｉｉ）前記入力部から前記出力部に対する電力の供給、及び（ｉｉｉ）前記出力部に対する前記エネルギー貯蔵デバイスの放電の夫々の、前記電力装置のための前記スケジュールを決定し、
前記決定したスケジュールを前記制御デバイスに送信する
ように構成されており、
（ｉｉｉ）のスケジュールの決定は、前記エネルギー貯蔵デバイスの放電コストの考慮を含むシステム。
【請求項３】
前記スケジュールを決定する前記デバイスは更に、
前記エネルギー貯蔵デバイスのための最小電力レベルを受信し、
前記エネルギー貯蔵デバイスの前記最小電力レベルを下回る放電を抑制する
ように構成されている請求項１又は２に記載の発明。
【請求項４】
前記スケジュールを決定する前記デバイスは更に、
前記電力負荷の過去の電力消費データ又はこの種の電力負荷の標準プロファイルに基づいて、負荷の予測を決定し、
前記決定した負荷の予測に基づいて、（ｉｉｉ）のスケジュールを決定する
ように構成されている請求項１から３のいずれか一項に記載の発明。
【請求項５】
前記スケジュールを決定する前記デバイスは更に、
前記時間依存電力料金データの予測を決定し、
前記決定した前記時間依存電力料金データの予測に基づいて、前記スケジュールを決定する
ように構成されている請求項１から４のいずれか一項に記載の発明。
【請求項６】
前記スケジュールを決定する前記デバイスは更に、
料金閾値を受信し、
前記時間依存料金データが前記料金閾値を上回る場合に、前記エネルギー貯蔵デバイスを放電する
ように構成されている請求項１から５のいずれか一項に記載の発明。
【請求項７】
前記スケジュールを決定する前記デバイスは更に、前記時間依存料金データが前記料金閾値を上回る場合には、前記エネルギー貯蔵デバイスの放電の後に、（ｉ）、（ｉｉ）又は（ｉｉｉ）のスケジュールを再決定するように構成されている請求項６に記載の発明。
【請求項８】
前記制御デバイスは更に、
前記通信ネットワークから、天気データを受信し、
前記受信した天気データを用いて、前記スケジュールを決定する
ように構成されている請求項１から７のいずれか一項に記載の発明。
【請求項９】
（ｉ）のスケジュールの決定は、前記エネルギー貯蔵デバイスの充電コストの考慮を含む請求項１から８のいずれか一項に記載の発明。
【請求項１０】
（ｉ）のスケジュールの決定は、前記エネルギー貯蔵デバイスの再充電プロファイルの考慮を含む請求項１から９のいずれか一項に記載の発明。
【請求項１１】
（ｉｉｉ）のスケジュールは、前記主供給部に対して電気エネルギーを提供する小売供給コストを最小にすることに基づいて決定される請求項１から１０のいずれか一項に記載の発明。
【請求項１２】
（ｉ）のスケジュール及び／又は（ｉｉｉ）のスケジュールは、第三者のサービス提供者の利益を最大にすることに基づいて決定される請求項１から１１のいずれか一項に記載の発明。
【請求項１３】
（ｉ）のスケジュール及び／又は（ｉｉｉ）のスケジュールは、前記エネルギー貯蔵デバイスの経済的耐用年数を最適化するように決定される請求項１から１２のいずれか一項に記載の発明。
【請求項１４】
（ｉｉｉ）のスケジュールは、小売供給コストで前記主電力供給部を前記電力装置に提供する電力小売業者に対する卸売供給コストを最小化するように決定される請求項１から１０のいずれか一項に記載の発明。
【請求項１５】
前記エネルギー貯蔵デバイスは、化学電池を含み、前記供給コンバータは、整流器及び充電器を含み、前記負荷コンバータは、インバータを含む請求項１から１４のいずれか一項に記載の発明。
【請求項１６】
前記電力装置は更に、前記エネルギー貯蔵デバイスのパラメータを監視するためのセンサを備えており、
前記センサは前記制御デバイスに接続されており、前記制御デバイスは前記監視されたパラメータに基づいて前記スケジュールを決定し、前記センサは、前記エネルギー貯蔵デバイスの温度を監視するための温度センサを備えており、前記スケジュールの決定は、監視された温度の考慮を含む請求項１から１５のいずれか一項に記載の発明。
【請求項１７】
前記電力装置は、可搬型である請求項１から１６のいずれか一項に記載の発明。
【請求項１８】
電力を電力負荷に対して供給するように構成されている電力装置の動作用のスケジュールを決定するための、コンピュータ化されたプロセッサによって実行可能なアプリケーションプログラムであって、
前記電力装置は、
主電力供給部に接続可能な入力部と、
エネルギー貯蔵デバイスと、
電力供給部からの電力を前記エネルギー貯蔵デバイスに貯蔵するためのエネルギーに変換する、前記電力供給部に選択的に接続可能な供給コンバータと、
前記エネルギー貯蔵デバイスからのエネルギーを電力負荷に供給するための電力に変換するように配置されている負荷コンバータと、
前記入力部及び前記負荷コンバータのいずれかに選択的に接続可能であって、それにより、前記電力負荷が電力を受け取ることができるように当該電力装置に接続されることになる出力部と、
前記スケジュールに応じて、前記供給コンバータを前記入力部に選択的に接続し、且つ、電力を前記電力負荷に提供するように、前記スケジュールに応じて、前記出力部を前記入力部及び前記負荷コンバータのいずれかに選択的に接続するように構成されている制御装置と
を備え、
前記アプリケーションプログラムは、
通信ネットワークから、前記主電力供給部に関連する時間依存電力料金データを受信するためのコードと、
前記電力負荷の過去の電力消費データ又はこの種の電力負荷の標準プロファイルに基づいて、負荷の予測を決定するためのコードと、
前記決定した負荷の予測、前記エネルギー貯蔵デバイスの放電コスト及び前記受信した時間依存電力料金データに基づいて、前記電力負荷に対する前記エネルギー貯蔵デバイスの放電のスケジュールを決定するためのコードと、
前記放電のスケジュール、前記エネルギー貯蔵デバイスの再充電プロファイル及び前記受信した時間依存電力料金データに基づいて、前記エネルギー貯蔵デバイスの充電のスケジュールを決定するためのコードと
を備えるアプリケーションプログラム。
【請求項１９】
負荷の予測を決定するためのコードは更に、天気データ、日の種類、月の種類、週の種類、季節の種類、時間間隔の種類及びこれらの要素の任意の組み合わせからなる要素のグループから選択される要素を考慮する請求項１８に記載のアプリケーションプログラム。
【請求項２０】
前記アプリケーションプログラムは、前記コンピュータ化されたプロセッサを含む前記制御装置のメモリに格納されている請求項１８に記載のアプリケーションプログラム。
【請求項２１】
前記アプリケーションプログラムは、サーバコンピュータにおいて格納及び実行され、更に、通信ネットワークを介して前記サーバコンピュータから前記電力装置に対して動作スケジュールを送信するためのコードを含む請求項１８に記載のアプリケーションプログラム。